(57)【要約】【課題】本発明は足に履いて、健康を保つための重要なツボが集中している足裏を特に温め、血液の流れを活性化させ、一日の疲れを癒し、快適な朝が迎えられる複合材使用の靴下提供することを目的とする。【解決手段】布製の靴下本体１の土踏まず部２に、吸湿発熱繊維の布地（接触温感を得る布地）を使用して縫製させる構造と成す。又、布製の靴下本体１の土踏まず部２に、吸湿発熱繊維の布地（接触温感を得る布地）を使用し、残りの靴下本体１に、吸湿性と吸汗性及び速乾性を少なくとも有した布地（接触冷感を得る布地）を使用して縫製される構造と成すのが好ましい。【選択図】図１
2014055365.tif 000002
【特許請求の範囲】
【請求項１】
布製の靴下本体（１）の土踏まず部（２）が、吸湿発熱繊維の布地を使用して縫製されたことを特徴とする複合材使用の靴下。
【請求項２】
布製の靴下本体（１）の土踏まず部（２）に、吸湿発熱繊維の布地を使用し、前記靴下本体（１）の残り部分に、吸湿性と吸汗性及び速乾性を少なくとも有した布地を使用して縫製されたことを特徴とする複合材使用の靴下。
【請求項３】
前記靴下本体（１）が弾性を有した布地である請求項１又は２記載の複合材使用の靴下。
【発明の詳細な説明】
【技術分野】
【０００１】
本発明は心地良い温かさで足裏の土踏まず部を温める複合材使用の靴下に関する。
【背景技術】
【０００２】
一般に靴下を装着して靴を履くと、足がつま先まで覆われており、通気性が悪いため足の指の股などが直ぐに蒸れて不潔になり易くなり、水虫の温床となりがちであった。また水虫になった際は、水虫が治りにくい状態でもあった。特に夏場に靴下を長時間装着していると、装着部が蒸れて汗ばんで不快になり易いものであった。
【０００３】
このため、靴下の指先部分をカットして通気性を良くして足全体の血流を促し、足指を開放することにより、通気性が良くなって清潔を保つことが出来る靴下、或いは素足感覚の靴下としては、例えば特開平１０−５３９０２号や実用新案登録番号３０５９７１６号などが提案されている。
【０００４】
しかしながら、特開平１０−５３９０２号や実用新案登録番号３０５９７１６号は、本願のように足裏の土踏まず部を温めることはできないと共に、本願とは目的が異なるものであった。
【先行技術文献】
【特許文献】
【０００５】
【特許文献１】特開平１０−５３９０２号公報
【特許文献２】実用新案登録番号３０５９７１６号公報
【発明の概要】
【発明が解決しようとする課題】
【０００６】
本発明は足に履いて、健康を保つための重要なツボが集中している足裏を温め、血液の流れを活性化させ、一日の疲れを癒し、快適な朝が迎えられる複合材使用の靴下を提供することを目的とする。
【課題を解決するための手段】
【０００７】
本発明は上記現状に鑑みて成されたものであり、つまり、布製の靴下本体の土踏まず部が、吸湿発熱繊維の布地（接触温感を得る布地）を使用して縫製される構造とする。また布製の靴下本体の土踏まず部が、吸湿発熱繊維の布地（接触温感を得る布地）を使用し、靴下本体の残り部分に、吸湿性と吸汗性及び速乾性を少なくとも有した布地（接触冷感を得る布地）を使用して縫製される構造とするのが好ましく、靴下本体が弾性を有した布地で縫製されたものとしても良い。
【発明の効果】
【０００８】
請求項１のように布製の靴下本体（１）の土踏まず部（２）に、吸湿発熱繊維の布地が使用されて縫製することにより、健康を保つための重要なツボが集中している足裏を心地良い温かさで集中的に温めることが出来るため、血液の流れを活性化させ、一日の疲れを癒し、快適な朝を迎えるリカバリー効果が得られるものとなる。又、靴下本体（１）を夏場に装着して靴を履いても、靴の蒸れが殆どなく、且つ、履いたままであっても快適なものとなる。
【０００９】
請求項２のように布製の靴下本体（１）の土踏まず部（２）に、吸湿発熱繊維の布地を使用し、靴下本体（１）の残り部分に、吸湿性と吸汗性及び速乾性を少なくとも有した布地を使用して縫製されることにより、請求項１と同様な効果が得られると共に靴下本体（１）を夏場に履いても、靴の蒸れが殆どなく快適なものとなる。更に足裏の土踏まず部分が温められる一方、土踏まず部（２）の前後部分が冷やされるため、単に足裏のツボを温める場合よりも、温度差が生じることにより、足裏のツボの刺激がより強くなり、ツボの効果がより発揮され易いものとなる。
【００１０】
請求項３に示すように靴下本体（１）が弾性を有した布地とすることにより、靴下本体（１）が足裏等に密着して接触されるものとなるため、足裏等を安定して温めることが可能となり、より有効に足裏のツボが刺激されるものとなる。
【図面の簡単な説明】
【００１１】
【図１】本発明の実施形態を示す説明図である。
【発明を実施するための形態】
【００１２】
（１）は吸湿発熱繊維で且つ弾性を有した布地によって縫製した靴下本体であり、該靴下本体（１）には、上方から足を入れる挿入開口部（11）が設けられている。この靴下本体（１）の布地としては一般的な材料で且つ弾性を有した布地によって縫製する。（２）は靴下本体（１）の土踏まず部であり、該土踏まず部（２）は、吸湿発熱繊維で且つ弾性を有した布地を用いるのが好ましい。この吸湿発熱繊維は、湿気を吸って熱を出し、心地良い温度が確保されるものである。前記吸湿発熱繊維やその布地としては、例えば、東洋紡ＡＰ事業部製のモイスケア（登録商標名）や、ユニクロ製のヒートテック（登録商標名）と同質材料などを用いるのが好ましく、更に肌に心地良く、肌や空気中の水蒸気を吸湿し、素材が発熱し、熱を逃がしにくい構造をもつ東レ製の「ウォームサーバ繊維」を編み込んだ布を用いても良い。尚、前記靴下本体（１）は、通気性や吸湿発熱機能を有した不織布を用いても良い。
【００１３】
次に本実施形態の第２発明について説明する。これは前記実施形態と比べ、靴下本体（１）は一般的な材料で且つ弾性を有した布地ではなく、吸湿性と吸汗性及び速乾性を少なくとも有した布地によって縫製されている。他は同じである。この時の布地の速乾性は、合成繊維を改質して吸湿性や吸汗性を高め、吸収した汗は素早く放出されて速乾性を有するものであり、その吸湿性は、気体の汗を吸う性質で主に繊維の化学的な組成で決まり、靴下本体（１）の吸汗性は、液体の汗を吸う性質で繊維の単位質量当りの表面積を大きくすると向上し、且つ、その毛細管現象で吸水性（吸汗性）が向上するものとなる。尚、本発明で言う「吸汗性」は吸水性と略同じ意味で用いるものとする。前記靴下本体（１）は、触った時に冷やっとする接触冷感を有する。この素材は繊維中に水分を多く含むことができ、熱伝導率が高いものである。このように肌に触れて涼しく感じる素材としては、例えば、クラレ製の「ソフィスタ」の素材，ユニクロ製・東レ製の「サラフィン／シルキードライ」と同質材料,ダイワボウ製の「クールドライ（登録商標）」を用いた布地などを用いるのが好ましい。又、本発明で言う「接触冷感」を得るには、湿気や汗を吸収し且つそれを素早く発散して放出する際に生じる気化熱による冷却と、湿気や汗を吸収すると熱が吸収される性質を備えた布地による冷却と、その両方による冷却とがある。
【００１４】
次に本発明の作用について説明する。先ず始めに靴下本体（１）を足に履くと、靴下本体（１）の土踏まず部（２）は、土踏まずに接触してその肌の湿気を吸収し、そこに熱が生じるので、足裏にある健康を保つための重要なツボが心地良く温められ、血液の流れを活性化させ、一日の疲れを癒し、快適な朝を迎えるリカバリー効果が得られるものとなる。この時、土踏まず部（２）以外の靴下本体（１）が、吸湿性と吸汗性及び速乾性を少なくとも有した布地を使用して縫製されたものである場合には、土踏まず部（２）以外の残り部分が接触すると、その接触した肌の湿気を吸収し、そこは冷やされるものとなる。このため、ツボが単に温められる前記の場合よりも、温度差が大きくなるので、発熱効果がより有効に作用可能なものとなる。更に靴下本体（１）を夏場に装着して靴を履いても、靴の蒸れが殆どなく、足に履いたままであっても充分に快適なものとなる。
【符号の説明】
【００１５】
１  靴下本体
２  土踏まず部
【図１】
2014055365.tif 000003